(57)【要約】【課題】初期状態における挿入孔の口径を大きく保つことができると共に、カフ帯をスムーズに腕等に巻き付けることができ、しかも構成がシンプルで安価に製品化することができ、また、カフ帯の損傷のおそれがなく、取り扱いがしやすいカフ帯巻付機構を備えた血圧計を提供する。【解決手段】腕の挿入孔５を有するドラム２と、拡径方向の弾性復元力を持ち、基端が固定端Ａとしてドラムに固定され、先端が可動端Ｂとしてドラムの内周に沿って移動可能とされ、初期の拡径状態から可動端が移動させられることで、全体が縮径させられるカフスプリング１２０と、カフスプリングの内周のブラダー１３０と、カフスプリングの可動端を固定端に近い位置に向けて引っ張ることでカフスプリングを縮径させるカフベルト１１０と、を具備し、カフスプリングは、固定端に近い方のスプリング力が弱く、可動端に近い方のスプリング力が強くなるように、固定端から可動端にかけてスプリング力に変化を持たせてある。【選択図】図  ５
2006271405.tif 000002
【特許請求の範囲】
【請求項１】
腕等の被測定部位を挿入するための挿入孔を有する剛体構造の円筒形のドラムと、
可撓性を有する硬質のシート材よりなり、前記ドラムの内周に沿って湾曲状態で配されると共に、拡径方向の弾性復元力を持ち、且つ、基端が固定端として前記ドラムの円周方向の一点に固定され、先端が可動端として前記ドラムの内周に沿って移動可能とされ、初期の拡径状態から前記可動端がドラムの内周に沿って移動させられることで、全体が縮径させられるカフスプリングと、
カフスプリングの内周に配され、カフスプリングの縮径により前記腕等の被測定部位に巻き付けられるブラダーと、
前記カフスプリングの可動端を固定端に近い位置に向けて引っ張ることにより、カフスプリングを縮径させる引き込み部材と、を具備してなることを特徴とするカフ帯巻付機構を備えた血圧計。
【請求項２】
請求項１に記載のカフ帯巻付機構を備えた血圧計であって、
前記カフスプリングは、前記固定端に近い方のスプリング力が弱く、可動端に近い方のスプリング力が強くなるように、固定端から可動端にかけてスプリング力に変化を持たせてあることを特徴とするカフ帯巻付機構を備えた血圧計。
【請求項３】
請求項２に記載のカフ帯巻付機構を備えた血圧計であって、
前記カフスプリングは、面内に抜き孔を形成した一枚の樹脂シートよりなり、前記面内に形成した抜き孔の分布または抜き孔の大きさを、固定端に近い側と可動端に近い側で異ならせることにより、前記スプリング力に変化を持たせてあることを特徴とするカフ帯巻付機構を備えた血圧計。
【請求項４】
請求項１〜３のいずれかに記載のカフ帯巻付機構を備えた血圧計であって、
前記引き込み部材は、先端部が、前記カフスプリングの固定端に近い位置に設けられた引出口を通して前記ドラム外へ引き出されており、その引出口の上側を覆うように腕等の被測定部位を載せるための載せ台が設けられていることを特徴とするカフ帯巻付機構を備えた血圧計。
【請求項５】
請求項４に記載のカフ帯巻付機構を備えた血圧計であって、
前記ドラムの内周に、前記ブラダーの内周側に位置させて布等の柔軟な材料よりなる筒状のカフカバーが配設され、そのカフカバーに前記腕等の被測定部位を挿入するための挿入孔が確保されており、そのカフカバーの下面に、前記載せ台に腕等の被測定部位を載せたときに、その被測定部位の下方への垂れ下がり、または、前記カフカバー自体の垂れ下がりを防止するための、カフカバーよりも硬質で柔軟性を有する薄いプラスチックシート材を取り付けたことを特徴とするカフ帯巻付機構を備えた血圧計。
【請求項６】
請求項１〜５のいずれかに記載のカフ帯巻付機構を備えた血圧計であって、
前記引き込み部材は、前記カフスプリングの外周に配されて、基端部が前記カフスプリングの固定端と共に固定され、中間部がカフスプリングの可動端に係合され、先端部が、前記カフスプリングの固定端に近い位置に設けた引出口を通して前記ドラム外へ引き出された軟質フィルム製のカフベルトよりなることを特徴とするカフ帯巻付機構を備えた血圧計。
【請求項７】
請求項６に記載のカフ帯巻付機構を備えた血圧計であって、
前記カフスプリングの可動端と係合するカフベルトの中間部に、前記ドラムの内周に摺接することでガイド作用を受ける突片を設けたことを特徴とするカフ帯巻付機構を備えた血圧計。
【請求項８】
請求項６または７に記載のカフ帯巻付機構を備えた血圧計であって、
前記ブラダーの基端部が、前記カフスプリングの固定端及びカフベルトの基端部と共に固定されると共に、ブラダーの先端部に第１係合スリットが設けられ、
一方、前記カフスプリングの可動端に第２係合スリット付きの挿入舌片が設けられ、
その挿入舌片を第２係合スリットより根元部分まで前記ブラダーの第１係合スリットに挿入し、その上で、前記挿入舌片の第２係合スリットに前記カフベルトの先端部を挿通させることで、
前記ブラダーの先端部をカフスプリングの可動端に係合すると共に、カフベルトの中間部をカフスプリングの可動端に係合したことを特徴とするカフ帯巻付機構を備えた血圧計。
【請求項９】
請求項６〜８のいずれかに記載のカフ帯巻付機構を備えた血圧計であって、
前記引出口からドラムの外部に引き出されたカフベルトの先端部が、前記ドラムの外部に装備された巻取ローラに巻回されており、巻取ローラの回転によりカフベルトを介してカフスプリングを駆動することを特徴とするカフ帯巻付機構を備えた血圧計。
【請求項１０】
請求項１〜９のいずれかに記載のカフ帯巻付機構を備えた血圧計であって、
前記ドラムに、カフスプリングの可動端の移動方向に沿ったスリットが設けられ、
そのスリットを通して、ドラムの外部からエアチューブが前記ブラダーの接続口に接続されており、
前記エアチューブの外周に、前記スリットの開口縁との擦れを低減するための摩擦低減スリーブが設けられていることを特徴とするカフ帯巻付機構を備えた血圧計。
【請求項１１】
請求項１〜１０のいずれかに記載のカフ帯巻付機構を備えた血圧計であって、
前記ドラムは、全周が連続した完全な薄肉円筒構造体として、正面視略Ｌ字形の血圧計本体の内側部に取り付けられており、血圧計本体と逆側の側部がそのまま外に露出していることを特徴とするカフ帯巻付機構を備えた血圧計。
【請求項１２】
請求項１１に記載のカフ帯巻付機構を備えた血圧計であって、
前記ドラムは、同一形状の半筒状のドラム半体を合体させることにより円筒形状に構成されていることを特徴とするカフ帯巻付機構を備えた血圧計。
【発明の詳細な説明】
【技術分野】
【０００１】
本発明は、カフ帯巻付機構を備えたいわゆるアームイン式の血圧計に関するものである。
【背景技術】
【０００２】
従来、被験者が腕を円筒状に巻回したカフ帯の中に通して、スイッチを押すと、自動的にカフ帯が腕に巻き付いて、血圧測定が始まるという自動血圧計（アームイン式の血圧計）が知られている。
【０００３】
この種の自動カフ帯巻付機構を備えた血圧計のタイプとして、円筒状に巻いたカフ帯の両端を移動することでカフ帯を縮径させて腕に巻き付けるもの（例えば、特許文献１参照）と、円筒状に巻いたカフ帯の一端を固定し他端を移動することでカフ帯を縮径させて腕に巻き付けるもの（例えば、特許文献２参照）とがある。
【０００４】
前者のタイプは、カフ帯の両端を同時に引き移動するので、カフ帯の巻き付けが短時間でできる反面、巻き付け時の動力負荷が大きい。これに対し、後者のタイプは、動力負荷が小さくてすむため、負荷が大き過ぎて途中で止まってしまう等の誤作動のおそれが少ない。
【０００５】
【特許文献１】特開２００４−２５４８８２号公報
【特許文献２】特開２０００−１０７１４０号公報
【発明の開示】
【発明が解決しようとする課題】
【０００６】
ところで、従来の後者のタイプ（カフ帯の一端を固定し、他端を移動して腕に巻き付けるタイプ）の血圧計では、カフ帯の端部を直接巻取ローラで巻き取る方式を採っているので、カフ帯の長さが長くなり、そのために巻き取り部分が大きくなり、コンパクト化を図る上での障害となっていた。また、巻き取りがスムーズに行われない場合もあり、途中で止まる等の不具合を生じることがあった。また、カフ帯に内蔵しているカフスプリングの戻りで初期の拡径状態を確保しているが、腕を挿入するための挿入孔の口径が大きくならず、腕の太い人が使えないこともあった。また、カフ帯を保護するカバーが付いている場合もあるが、その場合でも単なる覆いに過ぎず、持ち運びする際などにカフ帯を損傷するおそれがあった。
【０００７】
本発明は、上記事情を考慮し、初期状態における挿入孔の口径を大きく保つことができると共に、カフ帯をスムーズに腕等に巻き付けることができ、しかも構成がシンプルで安価に製品化することができ、また、カフ帯の損傷のおそれがなく、取り扱いがしやすいカフ帯巻付機構を備えた血圧計を提供することを目的とする。
【課題を解決するための手段】
【０００８】
請求項１の発明は、腕等の被測定部位を挿入するための挿入孔を有する剛体構造の円筒形のドラムと、可撓性を有する硬質のシート材よりなり、前記ドラムの内周に沿って湾曲状態で配されると共に、拡径方向の弾性復元力を持ち、且つ、基端が固定端として前記ドラムの円周方向の一点に固定され、先端が可動端として前記ドラムの内周に沿って移動可能とされ、初期の拡径状態から前記可動端がドラムの内周に沿って移動させられることで、全体が縮径させられるカフスプリングと、カフスプリングの内周に配され、カフスプリングの縮径により前記腕等の被測定部位に巻き付けられるブラダーと、前記カフスプリングの可動端を固定端に近い位置に向けて引っ張ることにより、カフスプリングを縮径させる引き込み部材と、を具備してなることを特徴とする。
【０００９】
請求項２の発明は、請求項１に記載のカフ帯巻付機構を備えた血圧計であって、前記カフスプリングは、前記固定端に近い方のスプリング力が弱く、可動端に近い方のスプリング力が強くなるように、固定端から可動端にかけてスプリング力に変化を持たせてあることを特徴とする。
【００１０】
請求項３の発明は、請求項２に記載のカフ帯巻付機構を備えた血圧計であって、前記カフスプリングは、面内に抜き孔を形成した一枚の樹脂シートよりなり、前記面内に形成した抜き孔の分布または抜き孔の大きさを、固定端に近い側と可動端に近い側で異ならせることにより、前記スプリング力に変化を持たせてあることを特徴とする。
【００１１】
請求項４の発明は、請求項１〜３のいずれかに記載のカフ帯巻付機構を備えた血圧計であって、前記引き込み部材は、先端部が、前記カフスプリングの固定端に近い位置に設けられた引出口を通して前記ドラム外へ引き出されており、その引出口の上側を覆うように腕等の被測定部位を載せるための載せ台が設けられていることを特徴とする。
【００１２】
請求項５の発明は、請求項４に記載のカフ帯巻付機構を備えた血圧計であって、前記ドラムの内周に、前記ブラダーの内周側に位置させて布等の柔軟な材料よりなる筒状のカフカバーが配設され、そのカフカバーに前記腕等の被測定部位を挿入するための挿入孔が確保されており、そのカフカバーの下面に、前記載せ台に腕等の被測定部位を載せたときに、その被測定部位の下方への垂れ下がり、または、前記カフカバー自体の垂れ下がりを防止するための、カフカバーよりも硬質で柔軟性を有する薄いプラスチックシート材を取り付けたことを特徴とする。
【００１３】
請求項６の発明は、請求項１〜５のいずれかに記載のカフ帯巻付機構を備えた血圧計であって、前記引き込み部材は、前記カフスプリングの外周に配されて、基端部が前記カフスプリングの固定端と共に固定され、中間部がカフスプリングの可動端に係合され、先端部が、前記カフスプリングの固定端に近い位置に設けた引出口を通して前記ドラム外へ引き出された軟質フィルム製のカフベルトよりなることを特徴とする。
【００１４】
請求項７の発明は、請求項６に記載のカフ帯巻付機構を備えた血圧計であって、前記カフスプリングの可動端と係合するカフベルトの中間部に、前記ドラムの内周に摺接することでガイド作用を受ける突片を設けたことを特徴とする。
【００１５】
請求項８の発明は、請求項６または７に記載のカフ帯巻付機構を備えた血圧計であって、前記ブラダーの基端部が、前記カフスプリングの固定端及びカフベルトの基端部と共に固定されると共に、ブラダーの先端部に第１係合スリットが設けられ、一方、前記カフスプリングの可動端に第２係合スリット付きの挿入舌片が設けられ、その挿入舌片を第２係合スリットより根元部分まで前記ブラダーの第１係合スリットに挿入し、その上で、前記挿入舌片の第２係合スリットに前記カフベルトの先端部を挿通させることで、前記ブラダーの先端部をカフスプリングの可動端に係合すると共に、カフベルトの中間部をカフスプリングの可動端に係合したことを特徴とする。
【００１６】
請求項９の発明は、請求項６〜８のいずれかに記載のカフ帯巻付機構を備えた血圧計であって、前記引出口からドラムの外部に引き出されたカフベルトの先端部が、前記ドラムの外部に装備された巻取ローラに巻回されており、巻取ローラの回転によりカフベルトを介してカフスプリングを駆動することを特徴とする。
【００１７】
請求項１０の発明は、請求項１〜９のいずれかに記載のカフ帯巻付機構を備えた血圧計であって、前記ドラムに、カフスプリングの可動端の移動方向に沿ったスリットが設けられ、そのスリットを通して、ドラムの外部からエアチューブが前記ブラダーの接続口に接続されており、前記エアチューブの外周に、前記スリットの開口縁との擦れを低減するための摩擦低減スリーブが設けられていることを特徴とする。
【００１８】
請求項１１の発明は、請求項１〜１０のいずれかに記載のカフ帯巻付機構を備えた血圧計であって、前記ドラムは、全周が連続した完全な薄肉円筒構造体として、正面視略Ｌ字形の血圧計本体の内側部に取り付けられており、血圧計本体と逆側の側部がそのまま外に露出していることを特徴とする。
【００１９】
請求項１２の発明は、請求項１１に記載のカフ帯巻付機構を備えた血圧計であって、前記ドラムは、同一形状の半筒状のドラム半体を合体させることにより円筒形状に構成されていることを特徴とする。
【発明の効果】
【００２０】
請求項１の発明によれば、円筒形のドラムの内周に沿って配されたカフスプリングが、自身の復元力で常に拡径方向に付勢されているので、腕等の被測定部位（以下では腕を代表として説明する）を挿入するための挿入孔の口径を大きく保つことができ、腕の太い人でも挿入しやすくなる。また、円筒形のドラムの内周をガイドにしながら、カフスプリングの可動端を移動させることができるので、スムーズにカフスプリングを縮径・拡径させることができ、その駆動のための負荷が小さくて済む。また、カフスプリングの縮径をスムーズに行うことができるので、腕に対してカフスプリング及びブラダー（これらの部分を以下においては「カフ帯」を言うこともある）をスムーズに巻き付けることができる。さらに、円筒ドラムとカフスプリングの組み合わせでブラダーの巻き付けを行うので、構成がシンプル且つコンパクトであり、コストダウンが図れる。また、ドラムがカフスプリングやブラダーを覆い隠しているので、持ち運びする際などにそれらを損傷するおそれもない。
【００２１】
請求項２の発明によれば、カフスプリングが、可動端に近い側が撓みにくく、固定端に近い側が撓みやすくなっているので、撓みにくい方の可動端が外側から遠巻きに移動しながら、カフスプリングが縮径することになる。従って、腕を大きく包み込むようにカフスプリングが縮径していくことになり、カフ帯（カフスプリング及びブラダー）の腕への巻き付けがスムーズに行えるようになる。
【００２２】
因みに、スプリング力の設定が逆になっている（可動端に近い側が撓みやすく、固定端に近い側が撓みにくくなっている）場合は、柔らかい可動端が先に撓むことによって、可動端が腕に当たるような形で移動することになる。そのため、縮径が円滑でなくなり、スムーズな巻き付けが行えなくなって、巻き付け負荷が大きくなる可能性がある。
【００２３】
巻き付け動作の良い例は、ドラムの内面にガイドされながら、カフスプリングの可動端が移動して腕に巻き付いていくものであり、できるだけ外側から大きく巻き付いていくと、負荷も少なく、巻き付けもスムーズになる。また、腕の肉を挟んだりしなくなる。そのような点において、請求項２の発明による効果は大きいと言うことができる。
【００２４】
請求項３の発明によれば、抜き孔の設け方を決めるだけで簡単にスプリング力に変化を持たせることができるので、ほとんどコストをかけずにカフスプリングのスプリング力の調整を行うことができる。
【００２５】
請求項４の発明によれば、引出口の上を覆うように載せ台を設けているので、引き出し部材によって腕の肉を挟んだり、袖が引き込み部材と一緒に引出口に引き込まれたりするのを防止することができ、スムーズなカフ帯の巻き付けを行うことができる。
【００２６】
請求項５の発明によれば、カフカバーに硬質の薄いシートを取り付けて、腕の肉の垂れ下がりやカフカバー自体の垂れ下がりを防止したので、カフ帯の巻き付け時にカフスプリングの可動端がもし腕の肉を挟む位置に接近してきても、それを避けることができる。つまり、カフスプリングの可動端がシートを取り付けた部分に当たることで、シートに沿って移動していき、肉などを挟まない。従って、カフ帯のスムーズな巻き付けを行うことができる。
【００２７】
因みに載せ台の幅を大きくすれば、腕の肉等を挟み込む事態を避けることができるが、載せ台の幅を大きくすると、ブラダーで腕を包む範囲がそれだけ減るので、具合がよくない。そこで、請求項５の発明では、載せ台の幅は最小にして、できるだけ腕の全周にブラダーを巻き付けるようにしながら、ブラダーによる圧迫性能に影響を及ぼさない程度に柔らかい薄いシートをカフカバーに設ける。そうすることで、性能の向上を図っている。カフカバーにシートを設ける際には、接着剤等で貼り付ける方法もあるが、ポケットを付けて挿入するのがよい。
【００２８】
請求項６の発明によれば、カフスプリングの固定端と一緒に基端部が固定されたカフベルトによって、カフスプリングを引き込むようにしているので、組立や取付が簡単であり、カフスプリングの可動端とカフベルトとの結合強度も高められる。また、カフスプリングの外周にカフベルトが被さるので、カフスプリングの曲がり方もしなやかになり、カフ帯の巻き付け時の動きがスムーズになる。
【００２９】
請求項６の発明によれば、軟質フィルム製のカフベルトに設けた突片が、ドラムの内周に摺接してガイドされるので、この軟質フィルムでできた部分がクッション作用を果たすことになり、カフスプリングの可動端の移動がスムーズに行われることになる。
【００３０】
請求項８の発明によれば、ブラダーとカフスプリングとカフベルトの係合を、順番にスリットに挿入舌片やベルトを挿入するという手法を採るだけで簡単に行うことができ、組立性がよく、構成もシンプルにできる。
【００３１】
請求項９の発明によれば、巻取ローラを回転駆動させるだけで、カフ帯の巻き付けを行うことができるので、コンパクトな構成とすることができる。
【００３２】
請求項１０の発明によれば、ブラダーの動きに伴うエアチューブの移動の円滑化が図れ、動作の負荷を減らすことができる。また、エアチューブの保護も行える。
【００３３】
請求項１１の発明によれば、ドラムを全周が連続した完全な円筒構造体として構成しているので、高い強度を持ちながら薄肉化を図ることができる。また、その薄肉化したドラムをそのまま血圧計本体と逆側に露出させているので、測定時に被験者の目の前に薄肉の部分だけが存在することになり、余裕スペースを作り出すことができる。つまり、測定時に、ドラム部分の厚さが小さいので、邪魔にならないという利点が得られる。また、薄肉化により、血圧計本体のサイズに対して、ドラムの口径を大きくすることができ、より太い腕の人も検査できるようにすることができる。また、薄肉化により寸法的な余裕が生まれるので、デザインの自由度も増す。
【００３４】
請求項１２の発明によれば、同じ形状のドラム半体を合体させることで、円筒状のドラムを構成しているので、コストダウンが図れる。また、ドラムが半割構造となっているので、組立性がよい上に、合わせ部にカフ帯の固定端を挟み固定することもでき、別の固定手段を不要にして組立性の一層の向上が図れる。
【発明を実施するための最良の形態】
【００３５】
以下、本発明の実施形態を図面に基づいて説明する。
図１は実施形態の血圧計の外観を示す概略斜視図、図２はカフ帯の巻き付け原理を示す図、図３は簡略化した血圧計の正面図、図４は被験者が血圧を測定している状態を示す平面図、図５は外装カバー類を外した要部構成を示す斜視図、図６は別の方向から見た要部構成を示す斜視図である。また、図７は実施形態の血圧計の構成要素であるドラムの組立状態を示す斜視図、図８はドラムの分解斜視図、図９は実施形態の血圧計の構成要素であるカフ帯組立体の斜視図である。また、図１０はカフ帯を構成するカフベルトの平面図、図１１はカフスプリングの平面図、図１２はカフ帯を構成するカフベルトとカフスプリングとブラダーの構成を示す斜視図、図１３はそれらの係合部の説明図、図１４はカフスプリングのスプリング力の説明図、図１５はカフ帯を巻き付ける際の動作説明図、図１６はカフカバーの構成図、図１７は腕に巻き付ける際のカフカバーとカフスプリングの関係を示す図、図１８はエアチューブの挿通部の斜視図である。
【００３６】
この血圧計１は、図１〜図３に示すように、腕Ｍを挿入するための挿入孔５を有する剛体構造の円筒形のプラスチック製のドラム２と、可撓性を有する硬質のシート材よりなり、ドラム２の内周２ａに沿って湾曲状態で配されると共に、拡径方向の弾性復元力を持ち、且つ、基端が固定端Ａとしてドラム２の円周方向の一点（下端部）に固定され、先端が可動端Ｂとしてドラム２の内周に沿って移動可能とされ、初期の拡径状態から可動端Ｂがドラム１１の内周に沿って移動させられることで、全体が縮径させられるカフスプリング１２０と、カフスプリング１２０の内周に配され、カフスプリング１２０の縮径により腕Ｍに巻き付けられるブラダー（空気袋）１３０と、カフスプリング１２０の可動端Ｂを固定端Ａに近い位置に向けて引っ張ることにより、カフスプリング１２０を縮径させる引き込み部材としてのカフベルト１１０と、を備えている。
【００３７】
ドラム２は、全周が連続した完全な薄肉円筒構造体として、正面視略Ｌ字形の血圧計本体３の内側部に取り付けられており、血圧計本体３と逆側の側部がそのまま外に露出している。このドラム２は、図８に示すように、同一形状の半筒状のドラム半体２Ａ、２Ａを合体させることにより、円筒形状に構成されている。
【００３８】
各ドラム半体２Ａは、半円筒状の周壁２１と、その外周の補強用のリブ２２と、周方向の両端に形成されたフランジ２３と、カフベルト１２０を引き出すための引出口２４と、エアチューブ挿入用のスリット２５と、合体させるときにフランジ２３間に、カフベルト１１０の取付端１１９、カフスプリング１２０の取付端１２９、ブラダー１３０の取付端１３９を重ねて挟むための固定溝２７と、カフカバー１７０の鍔部１７２の外周を嵌合する円周嵌合溝２８と、露出側のドラム半体２Ａの外周に覆い被せる化粧カバー２９と、を備えており、これらドラム半体２Ａのフランジ２３を合わせてネジで結合することにより、円筒形状のドラム２が構成されている。
【００３９】
正面視Ｌ字形の血圧計本体３は、図１、図５、図６に示すように、樹脂製の本体ハウジング３Ａと、その外側に装着される樹脂製のカバー３０１と、カバー３０１の上部に装備された操作パネル３０２と、操作パネル３０２上に装備された操作スイッチ３０３及びディスプレイ３０４等を備えている。また、血圧計本体３の内部には、エアポンプ７０、エアタンク７１、圧力センサ７２、排気制御弁等が装備されている。また、血圧計本体３の底部には、血圧計１の傾きを調節可能なベース７が設けられている。
【００４０】
この血圧計本体３の内側部に軸線を水平方向に向けてドラム２が取り付けられており、ドラム２の内底部に引出口２４が位置している。そして、その引出口２４を覆うようにして、樹脂製の腕載せ台４０が設けられ、その腕載せ台４０の上面にクッション材４１が貼り付けられている。
【００４１】
図７、図８に示すように、ドラム２の内周にカフ帯組立体１００が配設されている。このカフ帯組立体１００は、カフベルト１１０と、カフスプリング１２０と、ブラダー１３０とからなるものであり、各取付端１１９、１２９、１３９（図１２参照）をフランジ２３、２３間に挟んで、ネジでフランジ２３、２３を締め付けることにより、基端部がドラム２の円周上の１点に固定されている。
【００４２】
図１０、図１２に示すカフベルト１１０は、カフスプリング１２０の可動端Ｂを引き込む引き込み部材に相当するもので、軟質樹脂フィルム製であり、基端部が取付端１１９となった幅広の基板部１１１の先端に、細長い引き込みテープ部１１２を有する。また、全長の中間に位置する基板部１１１の先端（カフスプリング１２０の可動端Ａに位置する部分）の両側部には、小さい羽根状の突片１１３が、溝１１４を介して先端方向に向けて延設されている。これら突片１１３は、ドラム２の内周２ａに摺接することでガイド作用を受ける部分である。また、基板部１１１の長さ方向の中間部の両側縁には、僅かな凹部１１６が設けられている。この部分は、後述するブラダー１３０のバンド１３６の嵌まる部分である。また、基板部１１１の所定箇所には、ブラダー１３０の接続口１３５を露出させるための開口１１５が開いている。
【００４３】
図１１、図１２に示すカフスプリング１２０は、カフベルト１１０より硬質の可撓性を有する樹脂シートよりなるもので、基端部が取付端１２９となった矩形状の基板部１２１と、その先端縁に小さく突設され、基板部１２１の幅より幅狭に設定された第２の係合スリット１２３を有する挿入舌片１２２とを有する。なお、カフスプリング１２０は、ある程度厚さのあるシートからなり、小さな曲率では曲がりにくいので、取付端１２９の根元部分に、屈曲を容易にするためのスリット１２９ｓが設けられている。また、基板部１２１の長さ方向の中間部の両側縁には、カフベルト１１０の場合と同様の役割をなす凹部１２６が設けられている。また、基板部１２１の所定箇所には、ブラダー１３０の接続口１３５を露出させるための開口１２５が開いている。
【００４４】
その他にこのカフスプリング１２０には、特徴的な要素として、いくつかの抜き孔１２８ａ〜１２８ｃが開いている。これらの抜き孔１２８ａ〜１２８ｃは、１枚のシート材よりなるカフスプリング１２０に、スプリング力の分布を持たせるためのものである。この場合、抜き孔１２８ａ〜１２８ｃは、図１４に示すように、固定端Ａ（取付端１２９）に近い方のスプリング力が弱く（柔）、可動端Ｂに近い方のスプリング力が強く（剛）なるように、その分布や大きさを違えて設けられている。
【００４５】
具体的には、固定端Ａ側は、合計面積が大きくなるように、矩形の抜き孔１２８ｃを３個並べて配置している。また、可動端Ｂ側は、細長いスリット状の抜き孔１２８ａ、１２８ｂを２本並べて配置している。抜き孔１２８ａ〜１２８ｃの幅や長さ等の寸法は、全体のバランスを考えて設定するのが望ましい。
【００４６】
図１２に示すブラダー１３０は、基端部が取付端１３９となった樹脂あるいはゴム製の矩形状の袋体１３１の中に空気溜め空間１３８を形成したもので、先端に第１の係合スリット１３３付きの係合突片１３２を有している。また、装着時に外周側になる面に接続口１３５を有し、長さ方向の中間部にバンド１３６を有する。
【００４７】
これらのカフベルト１１０、カフスプリング１２０、ブラダー２３０を組み合わせてカフ帯組立体１００を構成するには、まず、図中矢印Ａ−１で示すように、ブラダー１３０のバンド１３６に、カフスプリング１２０及びカフベルト１１０の基板部１２１、１１１を潜らせて、ブラダー１３０の上に、カフスプリング１２０及びカフベルト１１０の各基板部１２１、１１１をこの順に重ねる。
【００４８】
次に、矢印Ａ−２で示すように、カフスプリング１２０の先端の挿入舌片１２２を、第２係合スリット１２３より根元部分まで、ブラダー１３０の第１係合スリット１３３に挿入し、その上で、矢印Ａ−３で示すように、挿入舌片１２２の第２係合スリット１２３にカフベルト１１０の引き込みテープ部１１２の先端を挿通させる。
それにより、図１３に示すように、ブラダー１３０の先端部がカフスプリング１２０の可動端Ｂに係合され、カフベルト１１０の中間部がカフスプリング１２０の可動端Ｂに係合される。
【００４９】
そして、後の工程で、矢印Ａ−４で示すように、カフベルト１１０及び１２０の開口１１５、１２５を通して、エアチューブ８０の先端をブラダー１３０の接続口１３５に接続する。なお、カフスプリング１２０の挿入舌片１２２の先端は、そのままでは跳ねた形なるので、必要に応じて保護テープ１４０でカフベルト１１０の表面に貼り付けておくのがよい。
【００５０】
このように組み立てたカフ帯組立体１００をドラム２に取り付ける場合には、カフベルト１１０がカフスプリング１２０の外周に位置し、ブラダー１３０がカフスプリング１２０の内周側に位置するように組み付ける。その状態において、カフベルト１１０は、基端側の取付端１１９がカフスプリング１２０の固定端Ｂと共にドラム２に固定され、中間部がカフスプリング１２０の可動端Ｂに係合され、先端部が、カフスプリング１２０の固定端Ａに近い位置に設けた引出口２４を通して、ドラム２外へ引き出されている。
【００５１】
そして、ドラム２外に引き出されたカフベルト１１０の先端部が、図２に示すように、ドラム２の外部に装備された巻取ローラ９０に巻回されており、巻取ローラ９０の回転によりカフベルト１１０を介してカフスプリング１２０の可動端Ｂを駆動できるようになっている。なお、巻取ローラ９０には、ギヤ等の減速手段を介してモータ（図示略）が接続されている。
【００５２】
ところで、前述した腕載せ台４０は、引出口２４の上側を覆うように設けられており、腕Ｍの下面が引出口２４より高い位置に保持されるようになっている。
【００５３】
図１６はカフカバー１７０の構成を示している。カフカバー１７０は、布等の柔軟な材料よりなる筒状のものであり、ドラム２の内周に、ブラダー１３０の内周側に位置させて配設されている。このカフカバー１７０は、腕を挿入するための挿入孔５を確保する円筒部１７１と、その両端に設けられた柔軟な芯材入りの鍔部１７２とを有するもので、鍔部１７２には、腕載せ台４０を差し込むためのスリット１７３が設けられている。また、円筒部１７１の外周側の一部（セット時に腕の下側の当たる部分）にはポケット１７４が設けられ、そこには、ある程度硬質ら且つ柔軟性を有する薄いプラスチックシート１７５が収容されている。このシート１７５は、図１７（ａ）に示すように、腕載せ台４０に腕Ｍを載せたときに、腕Ｍの肉の一部Ｍｎがたるむ場合があるが、そのような腕Ｍのたるみ部分の下方への垂れ下がりや、カフカバー１７０自体の垂れ下がりを防止するためのものである。
【００５４】
また、ドラム２を組み立てて血圧計本体３に組み付けてから、エアチューブ８０をドラム２のスリット２５を通してブラダー１３０の接続口１３５に接続するのであるが、その際、図１８に示すように、エアチューブ８０の外周に、スリット２５の開口縁との擦れを低減するための摩擦低減スリーブ８１が設けている。
【００５５】
そして、このエアチューブ８０を介して、ブラダー１３０を血圧計本体３に内蔵されたエアポンプ７０や圧力センサ７１や排気制御弁等に接続する。なお、血圧計本体３には、制御演算回路が内蔵されてており、この制御演算回路でエアポンプ等を制御することで血圧を測定する。
【００５６】
次に作用を図２、図１５を用いて説明する。
腕Ｍを挿入孔５に挿入して操作スイッチ３０３を操作すると、図示しないモータが作動して、図２に示すように、巻取ローラ９０が矢印Ｆ１方向に回転することで、カフベルト１１０が巻き取られる。それにより、カフスプリング１２０の可動端Ｂが移動して、カフスプリング１２０が縮径し、それにより、カフスプリング１２０及びブラダー１３０が腕Ｍに巻き付けられる。
【００５７】
この動作の際、カフスプリング１２０の可動端Ｂがドラム２の内周に沿って案内されるので、カフスプリング１２０はスムーズに縮径していき、腕Ｍに巻き付けられる。
特に、この血圧計１では、カフスプリング１２０が、可動端Ｂに近い側が撓みにくく、固定端Ａに近い側が撓みやすくなっているので、撓みにくい方の可動端Ｂが外側から遠巻きに移動しながら、カフスプリング１２０が縮径することになる。従って、腕Ｍを大きく包み込むようにカフスプリング１２０が縮径していくことになり、カフ帯（カフスプリング１２０及びブラダー１３０）の腕Ｍへの巻き付けがスムーズに行われる。
【００５８】
因みに、カフスプリング１２０のスプリング力の設定が逆になっている（可動端Ｂに近い側が撓みやすく、固定端Ａに近い側が撓みにくくなっている）場合は、柔らかい可動端Ｂが先に撓むことによって、可動端Ｂが腕Ｍに当たるような形で移動することになる。そのため、縮径が円滑でなくなり、スムーズな巻き付けが行えなくなって、巻き付け負荷が大きくなる可能性がある。
【００５９】
しかし、この血圧計１では、巻き付け動作の良い例として、ドラム２の内面２ａにガイドされながら、カフスプリング１２０の可動端Ｂが移動して腕Ｍに巻き付いていくので、できるだけ外側から大きく巻き付かせることができる。従って、負荷も少なく、巻き付けもスムーズに行えるし、腕Ｍの肉を挟んだりしなくなる。
【００６０】
また、このカフスプリング１２０の場合、抜き孔１２８ａ〜１２８ｃの設け方を決めるだけで簡単にスプリング力に変化を持たせることができているので、ほとんどコストをかけずにカフスプリング１２０のスプリング力の調整を行うことができる。
【００６１】
また、この血圧計１では、引出口２４の上を覆うように、クッション４１付き載せ台４０を設けているので、腕Ｍの肉や袖口を引出口２４に引き込んだりすることを防止できる。しかも、カフカバー１７０に硬質の薄いシート１７５を取り付けて、腕Ｍの肉の垂れ下がりやカフカバー１７０自体の垂れ下がりを防止しているので、図１７（ａ）に二点鎖線で示すように、カフ帯の巻き付け時にカフスプリング１２０の可動端Ｂがもし腕Ｍの肉のたるみ部分Ｍｎを挟む位置に接近してきても、（ｂ）のようにそれを避けることができる。つまり、カフスプリング１２０の可動端Ｂがシート１７５を取り付けた部分に当たることで、シート１７５に沿って移動していき、肉などを挟まなくなる。従って、カフ帯のスムーズな巻き付けを行うことができる。
【００６２】
因みに載せ台４０の幅を大きくすれば、腕Ｍの肉等を挟み込む事態を避けることができるが、載せ台４０の幅を大きくすると、ブラダー１３０で腕Ｍを包む範囲がそれだけ減るので、具合がよくない。そこで、この血圧計１では、載せ台４０の幅は最小にして、できるだけ腕Ｍの全周にブラダー１３０を巻き付けるようにしながら、ブラダー１３０による圧迫性能に影響を及ぼさない程度に柔らかい薄いシート１７５をカフカバー１７０に設けることによって、性能の向上を図っている。
【００６３】
また、この血圧計１では、軟質フィルム製のカフベルト１１０の中間部に突片１１３を設け、その突片１１３がドラム２の内周２ａに摺接してガイドされるようになっているので、この軟質フィルムでできた部分がクッション作用を果たすことになり、カフスプリング１２０の可動端Ｂの移動をよりスムーズにすることができる。
【００６４】
また、この血圧計１は、円筒形のドラム２の内周に沿って配されたカフスプリング１２０が、自身の復元力で常に拡径方向に付勢されているので、腕Ｍを挿入するための挿入孔５の口径を大きく保つことができ、腕の太い人でも挿入しやすい。さらに、円筒形のドラム２とカフスプリング１２０の組み合わせでブラダー１３０の巻き付けを行うので、構成がシンプル且つコンパクトであり、コストダウンが図れる。また、ドラム２がカフスプリング１２０やブラダー１３０を覆い隠しているので、持ち運びする際などにそれらを損傷するおそれもない。
【００６５】
また、カフスプリング１２０の固定端Ａと一緒に基端部が固定されたカフベルト１１０によって、カフスプリング１２０を引き込むようにしているので、組立や取付が簡単であり、カフスプリング１２０の可動端Ｂとカフベルト１１０との結合強度も高められる。また、カフスプリング１２０の外周にカフベルト１１０が被さるので、カフスプリング１２０の曲がり方もしなやかになり、カフ帯の巻き付け時の動きがスムーズになる。
【００６６】
また、前記のカフ帯組立体１００においては、ブラダー１３０とカフスプリング１２０とカフベルト１１０の係合を、順番にスリットに挿入舌片１２２やテープ部１１２を挿入するという手法を採るだけで簡単に行うことができるので、組立性がよく、構成もシンプルにできる。
【００６７】
また、巻取ローラ９０を回転駆動させるだけで、カフ帯の巻き付けを行うことができるので、コンパクトな構成とすることができる。
【００６８】
また、エアチューブ８０の摩擦低減スリーブ８１を被せているので、ブラダー１３０の動きに伴うエアチューブ８０の移動の円滑化が図れ、動作の負荷を減らすことができる上、エアチューブ８０の保護も行える。
【００６９】
また、この血圧計１は、ドラム２を全周が連続した完全な円筒構造体として構成しているので、高い強度を持ちながら薄肉化を図ることができる。また、その薄肉化したドラム２をそのまま血圧計本体３と逆側に露出させているので、図４に示すように、測定時に被験者の目の前に薄肉の部分だけが存在することになり、余裕スペースＳｐを作り出すことができる。つまり、測定時に、ドラム２部分の厚さが小さいので、邪魔にならないという利点が得られる。また、薄肉化により、血圧計本体３のサイズに対して、ドラム２の口径を大きくすることができ、より太い腕の人も検査できるようにすることができる。また、薄肉化により寸法的な余裕が生まれるので、デザインの自由度も増す。
【００７０】
また、同じ形状のドラム半体２Ａを合体させることで、円筒状のドラム２を構成しているので、コストダウンが図れる。また、ドラム２が半割構造となっているので、組立性がよい上に、合わせ部にカフ帯の取付端を挟み固定することもでき、別の固定手段を不要にして組立性の一層の向上が図れる。
【図面の簡単な説明】
【００７１】
【図１】本発明の実施形態の血圧計の外観を示す概略斜視図である。
【図２】カフ帯の巻き付け原理を示す図である。
【図３】簡略化した血圧計の正面図である。
【図４】被験者が血圧を測定している状態を示す平面図である。
【図５】外装カバー類を外した要部構成を示す斜視図である。
【図６】別の方向から見た要部構成を示す斜視図である。
【図７】本発明の実施形態の血圧計の構成要素であるドラムの組立状態を示す斜視図である。
【図８】ドラムの分解斜視図である。
【図９】本発明の実施形態の血圧計の構成要素であるカフ帯組立体の斜視図である。
【図１０】カフ帯を構成するカフベルトの平面図である。
【図１１】カフスプリングの平面図である。
【図１２】カフ帯を構成するカフベルトとカフスプリングとブラダーの構成を示す斜視図である。
【図１３】カフベルトとカフスプリングとブラダーの係合部の説明図である。
【図１４】カフスプリングのスプリング力の説明図である。
【図１５】カフ帯を巻き付ける際の動作説明図である。
【図１６】カフカバーの構成図である。
【図１７】腕に巻き付ける際のカフカバーとカフスプリングの関係を示す図である。
【図１８】エアチューブの挿通部の斜視図である。
【符号の説明】
【００７２】
Ｍ  腕
Ａ  固定端
Ｂ  可動端
１  血圧計
２  ドラム
２ａ  内周
２Ａ  ドラム半体
３  血圧計本体
５  挿入孔
２４  引出口
２５  スリット
４０  腕載せ台
８０  エアチューブ
８１  摩擦低減スリーブ
９０  巻取ローラ
１１０  カフベルト
１１３  突片
１２０  カフスプリング
１２２  挿入舌片
１２３  第２の係合スリット
１２８ａ〜１２８ｃ  抜き孔
１３０  ブラダー
１３３  第１の係合スリット
１７０  カフカバー
１７５  プラスチックシート材
【図１】
2006271405.tif 000003
【図２】
2006271405.tif 000004
【図３】
2006271405.tif 000005
【図４】
2006271405.tif 000006
【図５】
2006271405.tif 000007
【図６】
2006271405.tif 000008
【図７】
2006271405.tif 000009
【図８】
2006271405.tif 000010
【図９】
2006271405.tif 000011
【図１０】
2006271405.tif 000012
【図１１】
2006271405.tif 000013
【図１２】
2006271405.tif 000014
【図１３】
2006271405.tif 000015
【図１４】
2006271405.tif 000016
【図１５】
2006271405.tif 000017
【図１６】
2006271405.tif 000018
【図１７】
2006271405.tif 000019
【図１８】
2006271405.tif 000020